(57)【要約】【課題】  １つシグナリングコネクションを共通使用して複数のサービスを提供可能にすることにより、無線通信資源の有効利用を図り、コンテンツ提供時間の遅延を最小限に抑える。【解決手段】  コンテンツサーバ４とSM-SC5とLCS Client6は、コンテンツサーバ4を介して相互に接続され、各サービスを連携させて１つのコンテンツを提供可能な構成になっており、例えばSM-SC5は、ショートメッセージ配信(SMS)要求を行う際に、コンテンツサーバ4の要求をSGSN31に送信するメッセージパラメータ(MP)を設定してSGSN31に通知する。SGSN31は、SM-SC5からこのMPが設定されたサービス要求メッセージを受けて設定したシグナルコネクション(SC)を、SMSの提供が終了しても直にSCを切断せずに保留状態とし、一定時間内にパケット通信サービス要求を受けたときには、設定継続中のSCによりパケット通信サービスを提供する。【選択図】      図１
2007074437.tif 000002
【特許請求の範囲】
【請求項１】
移動機と汎用パケット無線サービスサポートノード（ＳＧＳＮ）間のシグナリングコネクションを、複数の異なる種類のサービス手段で共用する移動通信システムにおいて、
前記サービス手段は、ゲートウェイを介して前記ＳＧＳＮに送信される当該サービス手段のサービス要求であるＭＡＰ（Mobile Application Part）メッセージに、当該サービス手段以外のサービス手段によるサービスを後続サービスとして提供することを示すパラメータ（More service to provide）を付加する手段を有しており、
前記ＳＧＳＮは、前記サービス手段から前記後続サービスがあることを示すパラメータが付加されたＭＡＰメッセージを受信したとき、前記移動機との間のシグナリングコネクションを設定して前記サービス手段に提供するとともに、該サービス手段への提供が終了した時点で、前記設定したシグナリングコネクションの切断を保留するとともにタイマーを起動する手段と、前記タイマーがタイムオーバーする前に前記サービス手段以外のサービス手段によるサービス要求を受けたとき、前記設定されているシグナリングコネクションを前記サービス手段以外のサービス手段のシグナリングコネクションとして提供する手段と、前記タイマーがタイムオーバーするまで前記サービス手段以外のサービス手段によるサービス要求がなかったとき前記保留中のシグナリングコネクションを切断する手段を有している
ことを特徴とする移動通信システム。
【請求項２】
前記複数種類のサービス手段には、ショートメッセージサービス（ＳＭＳ）手段と位置情報サービス（ＬＣＳ）手段とパケット通信サービス手段が含まれていることを特徴とする請求項１に記載の移動体パケット通信システム。
【請求項３】
前記サービス手段は位置情報サービス（ＬＣＳ）手段であり、前記サービス手段以外のサービス手段はパケット通信サービス手段であって、前記パラメータ（More service to provide）は、ゲートウェイ移動体ロケーションセンター（ＧＭＬＣ）と前記ＳＧＳＮ間のＭＡＰ（Mobile Application Part）メッセージである加入者位置決定要求（MAP-PROVIDE-SUBSCRIBER-LOCATION. Request）に追加されていることを特徴とする請求項１または２に記載の移動体パケット通信システム。
【請求項４】
前記サービス手段はショートメッセージサービス（ＳＭＳ）手段であり、前記サービス手段以外のサービス手段はパケット通信サービス手段であって、前記パラメータ（More service to provide）は、ショートメッセージサービス・ゲートウェイ移動通信交換局（ＳＭＳ−ＧＭＳＣ）前記ＳＧＳＮ間のＭＡＰ（Mobile Application Part）メッセージであるショートメッセージ配信要求（MAP-MT-FORWARD-SHORT-MESSAGE. Request）に追加されていることを特徴とする請求項１または２に記載の移動体パケット通信システム。
【請求項５】
移動機と移動通信交換局（ＭＳＣ）間のシグナリングコネクションを、複数の異なる種類のサービス手段で共用する移動通信システムにおいて、
前記サービス手段は、ゲートウェイを介して前記ＭＳＣに送信される当該サービス手段のサービス要求であるＭＡＰ（Mobile Application Part）メッセージに、当該サービス手段以外のサービス手段によるサービスを後続サービスとして提供することを示すパラメータ（More service to provide）を付加する手段を有しており、
前記ＭＳＣは、前記サービス手段から前記後続サービスがあることを示すパラメータが付加されたＭＡＰメッセージを受信したとき、前記移動機との間のシグナリングコネクションを設定して前記サービス手段に提供するとともに、該サービス手段への提供が終了した時点で、前記設定したシグナリングコネクションの切断を保留するとともにタイマーを起動する手段と、前記タイマーがタイムオーバーする前に前記サービス手段以外のサービス手段によるサービス要求を受けたとき、前記設定されているシグナリングコネクションを前記サービス手段以外のサービス手段のシグナリングコネクションとして提供する手段と、前記タイマーがタイムオーバーするまで前記サービス手段以外のサービス手段によるサービス要求がなかったとき前記保留中のシグナリングコネクションを切断する手段を有している
ことを特徴とする移動通信システム。
【発明の詳細な説明】
【技術分野】
【０００１】
本発明は、移動体パケット通信システム等におけるシグナリングコネクションの設定、切断を制御する技術に関する。
【背景技術】
【０００２】
第３世代移動通信システムとして、ＩＭＴ-２０００（International Mobile Telecommunication−２０００）が提案されている（特許文献１〜２等参照）が、このＩＭＴ-２０００移動通信システムでは、移動機と汎用パケット無線サービスサポートノード（Serving General packet radio service Support Node：以下、ＳＧＳＮという）間のシグナリングコネクションを、ショートメッセージサービス（Short Message Service：以下、ＳＭＳという）や位置情報サービス（Location service：以下、ＬＣＳという）とパケット通信サービスとで共用する仕様になっている。
【０００３】
図６は、従来の移動体パケット通信システムの構成を示す概略ブロック図であり、無線技術を制御・終端する無線アクセスネットワーク（Radio Access Network:以下、ＲＡＮという）２と、位置制御・呼制御・サービス制御を行うコアネットワーク（Core Network: 以下、ＣＮという）３を備えている。ＲＡＮ２はＣＮ３に接続されており、無線基地局（ＢＳ：Base Station)であるＮｏｄｅ２１と、無線ネットワーク制御装置（Radio Network Controller：以下、ＲＮＣという）２２とを有している。Ｎｏｄｅ２１は移動機１と無線接続を行い、ＲＮＣ２２はＮｏｄｅ２１を制御している。
【０００４】
またＣＮ３は、移動機１宛のパケットデータを移動機１へあるいは移動機１からのパケットデータを宛先へスイッチングする汎用パケット無線サービスサポートノードであるＳＧＳＮ（Serving GPRS service Support Node）３１、移動機１の在圏位置（移動体通信網として管理している移動機の位置）が登録されているデータベースであるＨＬＲ（Home Location Register）３３、インターネット等の公衆データネットワーク上のコンテンツサーバ４とＳＧＳＮ３１とを接続するゲートウェイ汎用パケット無線サービスノード（Gateway GPRS Support Node：以下、ＧＧＳＮという）３４、ショートメッセージサービスセンター（Short Message Service Center：以下、ＳＭ-ＳＣという）５から配信されたショートメッセージを受信してＳＧＳＮ３１へ転送するＳＭＳ-ＧＭＳＣ（SMS-Gateway Mobile Switching Center）３５、位置情報サービスクライアント（以下、LCS-Clientという）６とＳＧＳＮ３１とを接続するゲートウェイ移動体ロケーションセンター（Gateway Mobile Location Center：以下、ＧＭＬＣという）３６等を有している。
【０００５】
ＩＭＴ２０００移動体通信システムはこのようなノード構成によって移動機ユーザに各種サービスを提供する。例えばパケット通信サービスは、コンテンツサーバ４⇔ＧＧＳＮ３４⇔ＳＧＳＮ３１⇔ＲＮＣ２２⇔Ｎｏｄｅ２１⇔移動機１の経路で提供される。ＳＭＳは、ＳＭ-ＳＣ５⇔ＳＭＳ-ＧＭＳＣ３５⇔ＳＧＳＮ３１⇔ＲＮＣ２２⇔Ｎｏｄｅ２１⇔移動機１の経路により提供される。また、ＬＣＳは、LCS-Client６⇔ＧＭＬＣ３６⇔ＳＧＳＮ３１⇔ＲＮＣ２２⇔Ｎｏｄｅ２１⇔移動機１の経路により提供される。
【０００６】
【特許文献１】特開２００３−０６１１２９号公報
【特許文献２】特表２００２−５３２９９０号公報
【発明の開示】
【発明が解決しようとする課題】
【０００７】
ＩＭＴ２０００移動体通信システムでは、例えばＳＭＳにより移動機にショートメッセージを着信させることにより移動機に対してパケット通信の発信を促し、パケット通信サービスの着信サービスを擬似的に提供することが可能である。しかしその際、ＳＧＳＮはショートメッセージ着信サービス（ＳＭ-ＭＴ）直後にパケット発信が続くことを認識できない為、ＳＭ-ＭＴ処理終了後直ちに、ＳＧＳＮとＲＮＣとの間のシグナリング用コネクション（Ｉｕコネクション）を切断する。
【０００８】
そのため、ＲＮＣは移動機との間のシグナリング用コネクション（ＲＲＣコネクション）の切断を移動機に要求するので、移動機は、ショートメッセージを受信してＲＲＣコネクションの切断処理完了を待ち、新規にパケット発信用にＲＲＣコネクションを再設定することになり、ＲＲＣコネクションの再設定処理時間や処理負荷にオーバーヘッドが生じるという問題がある。
【０００９】
このように、移動機ユーザに提供するコンテンツが、ＳＭＳ、ＬＣＳ、パケット通信サービスを連携させることによって提供されるケースが考えられるが、ＳＧＳＮでは各サービスの連携の有無を判断できない為に、各サービスの提供が終了した時点でシグナリングコネクションを切断してしまい、次のコンテンツが提供されるまでの間にシグナリングコネクションの設定、切断を繰り返すことになる。このシグナリングコネクションの再設定時間は、コンテンツ提供時間を遅延させる要因となり、また、シグナリングコネクションの切断と設定の競合の発生頻度が上がることにより、移動機、ＲＮＣ、ＳＧＳＮの処理負荷も高くなる可能性がある。
【００１０】
本発明の目的は、上記問題点に鑑み、移動機ユーザに異なる複数のサービスを連続させて提供する際に、移動機とＳＧＳＮ間に設定した１つシグナリングコネクションを共通使用してこれら複数のサービスを提供可能にする手段を設けることにより、無線通信資源の有効利用を図るとともに、コンテンツ提供時間の遅延を最小限に抑えることにある。
【課題を解決するための手段】
【００１１】
本発明は、移動機とＳＧＳＮ間のシグナリングコネクションを、複数の異なる種類のサービス手段で共用する移動通信システムにおいて、前記サービス手段は、ゲートウェイを介して前記ＳＧＳＮに送信される当該サービス手段のサービス要求であるＭＡＰ（Mobile Application Part）メッセージに、当該サービス手段以外のサービス手段によるサービスを後続サービスとして提供することを示すパラメータ（More service to provide）を付加する手段を備えており、前記ＳＧＳＮは、前記サービス手段から前記後続サービスがあることを示すパラメータが付加されたＭＡＰメッセージを受信したとき、前記移動機との間のシグナリングコネクションを設定して前記サービス手段に提供するとともに、該サービス手段への提供が終了した時点で、前記設定したシグナリングコネクションの切断を保留するとともにタイマーを起動する手段と、前記タイマーがタイムオーバーする前に前記サービス手段以外のサービス手段によるサービス要求を受けたとき、前記設定されているシグナリングコネクションを前記サービス手段以外のサービス手段のシグナリングコネクションとして提供する手段と、前記タイマーがタイムオーバーするまで前記サービス手段以外のサービス手段によるサービス要求がなかったとき前記保留中のシグナリングコネクションを切断する手段を備えていることを特徴とする。
【００１２】
即ち本発明は、ＩＭＴ２０００移動体通信システムにおいて、パケット通信サービス、ショートメッセージ着信サービス（ＳＭ-ＭＴ）、位置情報サービス（ＬＣＳ）といったパケット交換機能部（PS Domain）のシグナリングコネクション（ＲＲＣコネクション、及び、Ｉｕコネクション）上における端末とＳＧＳＮ間で使用する通信プロトコルであるＮＡＳ（Non Access Stratum）メッセージを、同一加入者に対して短時間に連続的に提供するケースをコンテンツサーバで特定できる場合、ＳＧＳＮにサービスを要求するメッセージ内にシグナリングコネクションを継続利用可能なサービスが直後に起動されることを示すパラメータを追加することにより、シグナリングコネクションの解放、設定処理を省略することで、シグナリング処理の削減とコンテンツ提供時間を短縮することを特徴とする。
【００１３】
そのため、ＳＧＳＮで同一のシグナリングコネクションを継続利用可能なサービスが連続的に使用されることを認識する為に、サービスを連携させるコンテンツサーバと連係動作の有無を通信し、連係動作する場合はシグナリングコネクション切断を全ての連携サービスが完了するまで保留することができる。
【００１４】
各サービスを連続的に提供するコンテンツを提供する場合は、サービス提供要求のシグナリングメッセージのパラメータによってＳＧＳＮに通知する。ＳＧＳＮはシグナリングメッセージにより連続的にサービスが起動されることを検出した場合は、単一のサービス提供完了では移動機、ＲＮＣ、ＳＧＳＮ間のシグナリングコネクションの切断を行わずに、後続サービスが完了した時点で始めてシグナリングコネクションを切断する。何らかの要因で後続サービスが正常に完了しない場合は、シグナリングコネクション設定開始時からの一定時間経過を契機に切断する。
【発明の効果】
【００１５】
本発明によれば、ＩＭＴ２０００移動体通信システムで、ＳＭＳ、ＬＣＳ、パケット通信サービスを連続させて提供するコンテンツを提供する際、移動機とＳＧＳＮ間の１つシグナリングコネクションを共通使用することが可能になり、無線通信資源の使用時間を低減し、コンテンツ提供時間も短縮できる。
【００１６】
また、ＩＭＴ２０００移動体通信システムで、ＳＭＳ、ＬＣＳ、パケット通信サービスを連続させて提供するコンテンツを提供する際、移動機とＳＧＳＮ間の１つのシグナリングコネクションを共通使用することが可能になるので、移動機、ＲＮＣ、ＳＧＳＮの処理負荷を低減することができる。
【発明を実施するための最良の形態】
【００１７】
図１は、本発明の実施形態を示す移動体パケット通信システム構成の概略ブロック図である。
【００１８】
本実施形態の各ブロックの機能は、図５に示す従来のシステムで説明した同一番号のブロックと同様の機能を有しているが、本実施形態においては、コンテンツサーバ４とＳＭ-ＳＣ５とLCS Client６は、コンテンツサーバ４を介して相互に接続され、各サービスを連携させて１つのコンテンツを提供可能な構成になっている。
【００１９】
従ってコンテンツサーバ４は、サービス起動要求時にＳＭ-ＳＣ５とLCS Client６に対してシグナリングコネクションの共有を要求することが可能であり、ＳＭ-ＳＣ５またはLCS Client６は、ＭＡＰ（Mobile Application Part）メッセージであるショートメッセージ配信要求（MAP-MT-FORWARD-SHORT-MESSAGE. Request）または加入者位置決定要求（MAP-PROVIDE-SUBSCRIBER-LOCATION. Request）を行う際に、コンテンツサーバ４の要求をＳＧＳＮに送信するメッセージパラメータとして設定してＳＧＳＮ３１に通知する。
【００２０】
また、ＳＧＳＮ３１には上記メッセージパラメータの有無を判定する手段と保持タイマー３２が設けられており、ＳＭ-ＳＣ５またはLCS Client６からこのメッセージパラメータが設定されたサービス要求メッセージを受けたときには、ＨＬＲ３３を参照して接続先の移動機１との間にショートメッセージ配信サービスまたは加入者位置決定サービスのためのシグナルコネクションを設定してそれぞれのサービスの提供を完了しても、直にシグナルコネクションを切断せずに保留状態として、保持タイマー３２を起動する。
【００２１】
そして一定時間内にActivate PDP context . requestを受信した時には、ＳＧＳＮ３１は保持タイマー３２を停止するとともに、この保留状態のシグナリングコネクションにより、ＧＧＳＮ３４との間のパケット通信サービスを提供する。一方、一定時間内にActivate PDP context . requestの受信がなく、保持タイマー３２がタイムオーバーしたときには、その時点で、ＳＧＳＮ３１は保留状態となっているシグナルコネクションの切断を起動する。
【００２２】
図２〜図５は、本実施形態におけるノード間シーケンスの動作例を示す図である。なお図では省略されているが、これらのシーケンスにおいて、ＳＭＳ-ＧＭＳＣまたはＧＭＬＣは、信号を送出するＳＧＳＮを決定するために、信号送信前にＨＬＲに宛て先移動機の在圏位置の問い合わせを行っている（３ＧＧＰの標準シーケンス）。以下、本実施形態の動作について、図１〜図５を参照して詳細に説明する。
【００２３】
図２は、移動機１が特定のショートメッセージを受信したことを契機にパケット発信を開始する連携が発生する場合のシーケンスを示しており、ＳＧＳＮ３１はコンテンツサーバ４のショートメッセージ着信要求をＳＭ−ＳＣ５を経由し、ＳＭＳ-ＧＭＳＣ３５からの新規パラメータ More service to provide情報が設定されたMAP-MT-FORWARD-SHORT-MESSAGE. Requestとして受信する。ＳＧＳＮ３１はMore service to provideの設定情報を保持するとともに、ＲＡＮ２のＲＮＣ／Ｎｏｄｅ、移動機１間でシグナリングコネクションを設定し、そのコネクション上でＳＭ−ＳＣ５からのショートメッセージを移動機１に送信する。
【００２４】
ＳＧＳＮ３１は移動機１からのショートメッセージ送達確認（ＲＰ−ＡＣＫ）を受信すると、MAP-MT-FORWARD-SHORT-MESSAGE. ResponseをＳＭＳ−ＧＭＳＣ３５に送信することによりＳＭ−ＳＣ５にショートメッセージ着信応答を通知するとともに、More service to provideの設定状態を判定する。そしてMore service to provide情報がＯＦＦの場合には、シグナリングコネクションを切断する。
【００２５】
一方、More service to provide情報がＯＮの場合には、シグナリングコネクションの切断を一時保留状態としてシグナリングコネクションの設定を継続するとともに、シグナリングコネクション保持タイマー３２をスタートさせる。そして、シグナリングコネクション保持タイマー３２がタイムオーバーする前に移動機１からActivate PDP context. requestを受信した時には、シグナリングコネクション保持タイマー３２を停止するとともに、ＧＧＳＮ３４に対してCreate PDP context. requestを送信し、ＧＧＳＮ３４からCreate PDP context. Responseを受信して移動機１にActivate PDP Context. acceptを送信することにより、コンテンツサーバ４と移動機１間のパケット通信サービスを提供する。
【００２６】
図３は、図２と同様のシーケンスにおいて、More service to provide情報がＯＮであるにもかかわらず、後続サービスとなるパケット発信が何らかの要因で実行されなかった場合のシーケンスを示しており、ＳＧＳＮ３１は、シグナリングコネクション保持タイマー３２が満了（設定時間を経過）するまでの間にActivate PDP context. requestを受信しなかったことを契機に、設定継続中のシグナリングコネクションを切断して解放する。
【００２７】
図４は、移動機１が位置測定要求を受信したことを契機にパケット発信を開始する連携が発生する場合のシーケンスを示しており、ＳＧＳＮ３１はコンテンツサーバの移動機位置測定要求をLCS Client６を経由し、ＧＭＬＣ３６からの新規パラメータ More service to provide情報が設定されたMAP-PROVIDE-SUBSCRIBER-LOCATION. Requestとして受信する。ＳＧＳＮ３１はMore service to provideの設定状態を保持するとともに、ＲＡＮ２のＲＮＣ／Ｎｏｄｅ、移動機１間でシグナリングコネクションを設定し、そのコネクション上で移動機１の位置測定を実行するためのサービスを提供する。
【００２８】
そして、ＳＧＳＮ３１は端末からの位置測定結果報告（Location Report）をＲＮＣ経由で受信すると、MAP-PROVIDE-SUBSCRIBER-LOCATION. ResponseをＧＭＬＣ３６に送信するとともに、More service to provideの設定状態を判定し、More service to provide情報がＯＦＦの場合は、シグナリングコネクションを切断する。一方、More service to provide情報がＯＮの場合には、シグナリングコネクションの切断を一時保留状態とするとともに、シグナリングコネクション保持タイマー３２をスタートさせ、図２と同様のシーケンスを実行させる。
【００２９】
図５は、図４と同様のシーケンスにおいて、More service to provide情報がＯＮであるにもかかわらず、後続サービスとなるパケット発信が何らかの要因で実行されなかった場合のシーケンスを示しており、図３の場合と同様に、ＳＧＳＮ３１は、シグナリングコネクション保持タイマー３２が満了（設定時間を経過）するまでの間にActivate PDP context. requestを受信しなかったことを契機に、設定継続中のシグナリングコネクションを切断して解放する。
【００３０】
なお、上記実施例の場合、連携するサービスとしてパケット交換（PS Domain）サービスを対象として、ＳＧＳＮ３１によりシグナリングコネクションの設定制御を行っているが、連携するサービスとして回線交換（CS Domain）サービスを対象とし、ＳＧＳＮの代わりに移動通信交換局（Mobile-services Switching Center：ＭＳＣ）によりシグナリングコネクションの設定制御を行わせることも可能である。
【００３１】
また、上記実施例では、パケット発信サービスをＬＣＳまたはＳＭＳと連携させているが、ＳＭＳをパケット発信サービスまたはＬＣＳと連携させる、あるいはＬＣＳをパケット発信サービスまたはＳＭＳと連携させることも出来る。また、パケット発信サービス、ＬＣＳ、ＳＭＳを３回以上連携させることも可能である。
【図面の簡単な説明】
【００３２】
【図１】本発明の実施形態を示す移動体パケット通信システム構成の概略ブロック図である。
【図２】本実施形態におけるノード間シーケンスの動作例を示す図である。
【図３】本実施形態におけるノード間シーケンスの動作例を示す図である。
【図４】本実施形態におけるノード間シーケンスの動作例を示す図である。
【図５】本実施形態におけるノード間シーケンスの動作例を示す図である。
【図６】従来の移動体パケット通信システムの構成を示す概略ブロック図である。
【符号の説明】
【００３３】
１  移動機
２  無線アクセスネットワーク（ＲＡＮ）
３  コアネットワーク（ＣＮ）
４  コンテンツサーバ
５  ショートメッセージサービスセンター（ＳＭ-ＳＣ）
６  位置情報サービスクライアント（LCS-Client）
２１  Ｎｏｄｅ
２２  無線ネットワーク制御装置（ＲＮＣ）
３１  汎用パケット無線サービスサポートノード（ＳＧＳＮ）
３２  コネクション保持タイマー
３３  ＨＬＲ（Home Location Register）
３４  ゲートウェイ汎用パケット無線サービスノード（ＧＧＳＮ）
３５  ＳＭＳ-ＧＭＳＣ（SMS-Gateway Mobile Switching Center）
３６  ゲートウェイ移動体ロケーションセンター（ＧＭＬＣ）
【図１】
2007074437.tif 000003
【図２】
2007074437.tif 000004
【図３】
2007074437.tif 000005
【図４】
2007074437.tif 000006
【図５】
2007074437.tif 000007
【図６】
2007074437.tif 000008